【手続補正書】
【提出日】平成27年9月8日(2015.9.8)
【手続補正１】
【補正対象書類名】特許請求の範囲
【補正対象項目名】全文
【補正方法】変更
【補正の内容】
【特許請求の範囲】
【請求項１】
システムであって：
筐体；及び
前記筐体内の複数のモジュールを含み、
前記モジュールの個々のモジュールは、
サンプル調製ステーション、検定ステーション、及び検出ステーションより成る群から選ばれる少なくとも１つのステーションを含み、
前記システムは前記個々のモジュール内、又は前記個々のモジュールから前記システムの筐体内の別のモジュールに、サンプル又は試薬を移動するために構成された流体取扱いシステムを含む、システム。
【請求項２】
前記生物学的サンプルを吸い上げる、分注する、及び／又は移動するピペットを含む流体取扱いシステムを含む、請求項１に記載のシステム。
【請求項３】
生物学的サンプルの収集、生物学的サンプルの処理、及びシステムで実行された反応より成る群から選ばれる１つ以上のものを、画像化するために構成された画像機器を含む、請求項１に記載のシステム。
【請求項４】
濃度が検体ごとに１桁以上変動する、前記複数の検体又は疾患状態をサンプルから検出するために構成された、請求項１に記載のシステム。
【請求項５】
前記被験者から流体又は組織サンプルを収集するために構成されたサンプル収集ユニットを含む前記請求項１に記載されるシステム。
【請求項６】
１５％以下の変動係数を有する、請求項１に記載のシステム。
【請求項７】
ポイント・オブ・サービスの場所における自動サンプル処理方法であって：前記請求項１に記載のシステムにサンプルを提供すること、前記サンプルが処理されたことを示す検出信号を産生するために、前記システムに前記サンプルを処理させることを許容することを含む自動サンプル処理方法。
【請求項８】
前記処理ステップが、サンプルの組織学又はサンプルの形態学を評価する前記請求項７に記載の方法。
【請求項９】
処理ステップが、サンプル内の検体の存在及び／又は濃度、又はサンプルに関連した疾患状態を評価する、請求項７に記載の方法。
【請求項１０】
サンプル処理装置であって：
サンプル調製ステーション、検定ステーション、及び／又は検出ステーションを含み、
前記サンプル調製ステーション、検定ステーション及び検出ステーションの少なくとも１つの支援下にある指定場所でポイント・オブ・サービスを実行するためのコンピュータにより遂行可能なコマンドを有する制御装置を含み、
少なくとも１つの指先穿刺のサンプルの遠心分離を実行する遠心分離機を含む、サンプル処理装置。
【請求項１１】
前記遠心分離機が、前記サンプル調製ステーション及び／又は前記検定ステーション内に収納される、請求項１０に記載の装置。
【請求項１２】
前記コンピュータにより実行可能なコマンドが、小売店、前記被験者の自宅、又はヘルスアセスメント／治療場所より成る群から選ばれる前記ポイント・オブ・サービスでのサービスを実行するために構成される、請求項１０に記載の装置。
【請求項１３】
被験者を診断又は治療するためのシステムであって：
（ａ）  前記被験者を認証するための手段；
（ｂ）  前記被験者の三次元表現を取得するように構成された三次元画像化機器；及び
（ｃ）  前記三次元表現画像を前記被験者と遠隔通信しているヘルスケア提供者に表示するように構成されたプロセッサを含むコンピュータ・システムであって、前記コンピュータシステムは通信的に前記三次元画像化機器と連結されている、プロセッサを含むコンピュータ・システム
を含み、
前記表示された前記被験者の三次元表現は、前記被験者の診断又は治療を支援する、システム。
【請求項１４】
前記三次元画像化機器が、ポイント・オブ・サービス・システムの一部である請求項１３に記載のシステム。
【請求項１５】
前記被験者からサンプルを収集するための手段をさらに含む、請求項１３に記載のシステム。
【手続補正２】
【補正対象書類名】明細書
【補正対象項目名】０００６
【補正方法】変更
【補正の内容】
【０００６】
本発明は、例えば、以下を提供する：
（項目１）
システムであって：
筐体；及び
前記筐体内の複数のモジュールを含み、
前記モジュールの個々のモジュールは、
サンプル調製ステーション、検定ステーション、及び検出ステーションより成る群から選ばれる少なくとも１つのステーションを含み、
前記システムは前記個々のモジュール内、又は前記個々のモジュールから前記システムの筐体内の別のモジュールに、サンプル又は試薬を移動するために構成された流体取扱いシステムを含む、システム。
（項目２）
システムであって：
支持構造物に取付けられた複数のモジュールを含み、
前記モジュールの個々のモジュールは、
サンプル調製ステーション、検定ステーション、及び／又は検出ステーションを含み、
少なくとも１つの物理的又は化学的検定用のサンプルの（ａ）調製、及び前記少なくとも１つの物理的又は化学的検定を（ｂ）実行するために構成され、及び
前記複数のモジュールの少なくとも１つの個々のモジュールが前記サンプルの血球計算を実行するために構成された血球計算ステーションを含む、システム。
（項目３）
システムであって：
支持構造物に取付けられた複数のモジュールを含み、
前記モジュールの個々のモジュールは、
サンプル調製ステーション、検定ステーション、及び／又は検出ステーションを含み、
前記システムは、（ａ）サンプル処理、遠心分離、分離、及び化学的処理より成る群から選ばれる少なくとも１つのサンプル処理、及び（ｂ）免疫検定、核酸検定、受容体に基づく検定、サイトメトリー検定、比色検定、酵素的検定、電気泳動的検定、電気化学的検定、分光的検定、クロマトグラフィー的検定、顕微鏡的検定、局所的検定、熱量測定的検定、比濁的検定、凝集検定、放射性同位体検定、粘度測定検定、凝固検定、凝固時間検定、タンパク合成検定、組織学的検定、培養物検定、浸透圧検定、及びそれらの組合せより成る群から選ばれる多数の種類の検定を実行するために構成され、及び
多数の種類の検定はシステム内に含まれる分離された検定ユニットの支援下で実行される
システム。
（項目４）
システムであって：
支持構造物に取付けられた複数のモジュールを含み、
前記複数のモジュールの個々のモジュールは、
サンプル調製ステーション、検定ステーション、及び／又は検出ステーションを含み、
前記システムは（ａ）サンプル処理、遠心分離、磁気的分離、及び化学的処理より成る群から選ばれる少なくとも１つのサンプル調製手順、及び（ｂ）免疫検定、核酸検定、受容体に基づく検定、サイトメトリー検定、比色検定、酵素的検定、電気泳動的検定、電気化学的検定、分光的検定、クロマトグラフィー的検定、顕微鏡的検定、局所的検定、熱量測定的検定、比濁的検定、凝集検定、放射性同位体検定、粘度測定検定、凝固検定、凝固時間検定、タンパク合成検定、組織学的検定、培養物検定、浸透圧検定、及びそれらの組合せより成る群から選ばれる１つ以上の種類の検定を実行するために構成され、
前記システムは２５０μｌ以下の容積を有するサンプルを処理又は検定するために構成され、及び前記システムは１５％以下の変動係数を有するシステム。
（項目５）
前記生物学的サンプルを吸い上げる、分注する、及び／又は移動するピペットを含む流体取扱いシステムを含む、項目１〜４のいずれか１つに記載のシステム。
（項目６）
生物学的サンプルの収集、生物学的サンプルの処理、及びシステムで実行された反応より成る群から選ばれる１つ以上のものを、画像化するために構成された画像機器を含む、項目１〜４のいずれか１つに記載のシステム。
（項目７）
濃度が検体ごとに１桁以上変動する、前記複数の検体又は疾患状態をサンプルから検出するために構成された、項目１〜４のいずれか１つに記載のシステム。
（項目８）
前記被験者から流体又は組織サンプルを収集するために構成されたサンプル収集ユニットを含む前記項目１〜４のいずれか１つに記載されるシステム。
（項目９）
１５％以下の変動係数を有する、項目１〜４のいずれか１つに記載のシステム。
（項目１０）
ポイント・オブ・サービスの場所における自動サンプル処理方法であって：前記項目１〜４のいずれか１つに記載のシステムにサンプルを提供すること、前記サンプルが処理されたことを示す検出信号を産生するために、前記システムに前記サンプルを処理させることを許容することを含む自動サンプル処理方法。
（項目１１）
前記処理ステップが、サンプルの組織学又はサンプルの形態学を評価する前記項目１０に記載の方法。
（項目１２）
処理ステップが、サンプル内の検体の存在及び／又は濃度、又はサンプルに関連した疾患状態を評価する、項目１０に記載の方法。
（項目１３）
システムであって：
サンプル調製を実行するために構成された調製ステーション；及び
検定免疫検定、核酸検定、受容体に基づく検定、サイトメトリー検定、比色検定、酵素的検定、電気泳動的検定、電気化学的検定、分光的検定、クロマトグラフィー的検定、顕微鏡的検定、局所的検定、熱量測定的検定、比濁的検定、凝集検定、放射性同位体検定、粘度測定検定、凝固検定、凝固時間検定、タンパク合成検定、組織学的検定、培養物検定、浸透圧検定、及びそれらの組合せより成る群から選ばれた多数の種類の検定を実行するために構成された検定ステーションとを含み；及び前記システムは４時間以内に前記サンプル調製及び前記多数の種類の検定を実行するために構成されたシステム。
（項目１４）
システムであって：
サンプル調製ステーション、検定ステーション、及び検出ステーション；並びに
前記サンプル調製ステーション、検定ステーション、及び検出ステーションの少なくとも１つの支援下にある指定場所で、ポイント・オブ・サービスの実行をするために構成されたコンピュータにより実行可能なコマンドを有する制御装置を含み、前記サンプル調製ステーションは生物学的サンプルを収集するために構成されたサンプル収集ユニットを含み、並びに
前記システムは１５％以下の変動係数において生物学的サンプルを検定するために構成されるシステム。
（項目１５）
システムであって：
筐体；及び
前記筐体内に複数のモジュールを含み、
前記モジュールの個々のモジュールは、
サンプル調製ステーション、検定ステーション、及び検出ステーション、より成る群から選ばれる少なくとも１つのステーションを含み、前記システムは前記個々のモジュール内又は前記システム筐体内の前記個々のモジュールから別のモジュールにサンプル又は試薬を移動するために構成された流体取扱いシステムを含むシステム。
（項目１６）
プラグ・アンド・プレイ・システムであって：
複数のモジュールのうち、１つのモジュールを取付けるために構成される取付けステーションを持つ支持構造物を含み、前記モジュールは、
（ａ）前記取付けステーションから取外し可能であるか、又は複数のモジュールの少なくとも他の１つのモジュールと互換可能であること
（ｂ）（ｉ）サンプル処理、遠心分離、磁気的分離、より成る群から選ばれる少なくとも１つのサンプル調製手順、又は（ｉｉ）免疫検定、核酸検定、受容体に基づく検定、サイトメトリー検定、比色検定、酵素的検定、電気泳動的検定、電気化学的検定、分光的検定、クロマトグラフィー的検定、顕微鏡的検定、局所的検定、熱量測定的検定、比濁的検定、凝集検定、放射性同位体検定、粘度測定検定、凝固検定、凝固時間検定、タンパク合成検定、組織学的検定、培養物検定、浸透圧検定、及びそれらの組合せより成る群から選ばれる、少なくとも１つの種類の検定を前記システムの別のモジュールの支持なしに実行するために構成され、及び
（ｃ） 制御装置と電気的、電磁的又は光電子的に通信可能に構成され、前記制御装置は少なくとも１つのサンプル調製手順又は少なくとも１つの種類の検定の実行を促進するために前記モジュール又は前記複数のモジュールの個々のモジュールに１つ以上の指示を与えるために構成されるシステム。
（項目１７）
システムであって：
サンプル調製ステーション、検定ステーション、及び／又は検出ステーション、及び
指定場所でポイント・オブ・サービスを実行するために構成されたコンピュータにより実行可能なコマンドを有する制御装置を含み、前記システムは検定免疫検定、核酸検定、受容体に基づく検定、サイトメトリー検定、比色検定、酵素的検定、電気泳動的検定、電気化学的検定、分光的検定、クロマトグラフィー的検定、顕微鏡的検定、局所的検定、熱量測定的検定、比濁的検定、凝集検定、放射性同位体検定、粘度測定検定、凝固検定、凝固時間検定、タンパク合成検定、組織学的検定、培養物検定、浸透圧検定、及びそれらの組合せより成る群から選ばれる多数の種類の検定を実行するために構成されたシステム。
（項目１８）
前記サンプル調製ステーションが、前記被験者から生物学的サンプルを収集するために構成されるサンプル収集ユニットを含む、項目１３〜１７のいずれか１つに記載のシステム。
（項目１９）
前記支持構造物が、前記複数のモジュールを保存する筐体であり、前記筐体は随意的に電源又は通信ユニットを提供する、項目１６に記載のシステム。
（項目２０）
流体取扱いシステムを含み、前記流体取扱いシステムは前記生物学的サンプルを吸い上げる、分注する、及び／又は移動するために構成されるピペットを含む、項目１４に記載のシステム。
（項目２１）
収集された生物学的サンプル、生物学的サンプルの処理、及びシステムで実行される反応を含む群の１つ以上のもの画像を作成するために構成された画像化機器を含む、項目１３〜１７いずれか１つに記載のシステム。
（項目２２）
前記画像化機器が、電磁的放射線、及び／又は関係する空間的及び／又は時間的次元を検出及び／又は記録する、カメラ又はセンサーである、項目２１に記載のシステム。
（項目２３）
項目２１のシステムであって、前記システムはシステム中に含まれる外部機器通信ユニットを介して画像を表示する電子データを保存及び／又は送信する。
（項目２４）
更に遠心分離機を含む、項目１３〜１７のいずれか１つに記載のシステム。
（項目２５）
システム中に含まれる外部機器と、システム内に含まれる通信ユニットを介して双方向通信を実行するために構成された項目１３〜１７のいずれか１つに記載のシステムであって、前記通信ユニットは前記外部機器にデータを送信し、及び前記システムにより指示を受信するために構成されるシステム。
（項目２６）
前記被験者から収集した生物学的サンプル中に存在することが疑われる検体の存在又は濃度を検出する方法であって、
前記方法は、項目１３〜１７のいずれか１つに記載のシステムに前記生物学的サンプルを提供することを含み、
検体の存在又は濃度を示す検出可能な信号を送るために、検定免疫検定、核酸検定、受容体に基づく検定、サイトメトリー検定、比色検定、酵素的検定、電気泳動的検定、電気化学的検定、分光的検定、クロマトグラフィー的検定、顕微鏡的検定、局所的検定、熱量測定的検定、比濁的検定、凝集検定、放射性同位体検定、粘度測定検定、凝固検定、凝固時間検定、タンパク合成検定、組織学的検定、培養物検定、浸透圧検定、及びそれらの組合せより成る群から選ばれる、少なくとも１つの検定を実行することを含む方法。
（項目２７）
更に報告を作成するステップを含み、前記報告は時間依存性の前記検体の存在又は濃度変化に関する情報を含む、項目２６に記載の方法。
（項目２８）
更に報告を作成する前記ステップを含み、前記報告は前記検体の存在又は濃度に基づいた前記被験者の病状の診断、予後及び／又は治療に関する情報を含む、項目２６に記載の方法。
（項目２９）
流体取扱い装置であって：
複数のピペット・ヘッドを含み、個々のピペット・ヘッドは、ピペット・ノズルから取外し可能なチップと結合するために構成されピペット・ノズルを含み、
個々に移動可能な複数のプランジャーを含み、少なくとも１つの前記プランジャーは前記ピペット・ヘッド内にありピペット・ヘッド内で移動可能であり、及び
作動装置を含み、前記作動装置は複数のプランジャーの個々のプランジャーが、独立した動作を行うために構成される流体取扱い装置。
（項目３０）
前記複数のプランジャーが、前記ピペット・ノズルから、少なくとも１つの個別に選択されたチップを取り外す能力がある、項目２９に記載の装置。
（項目３１）
前記作動装置が、モーターであり、前記モーターが前記複数のチップ取外し機構の独立動作を許容するために構成される項目２９に記載の装置。
（項目３２）
前記少なくとも１つのチップ取外し機構が、前記ピペット・ヘッドの外部にある項目３１に記載の装置。
（項目３３）
前記少なくとも１つのチップ取外し機構が、前記ピペット・ヘッドの少なくとも一部を取り巻く環である項目３１に記載の装置。
（項目３４）
更に複数のスイッチを含み、個々のスイッチはオン位置及びオフ位置を備え、前記オン位置は前記個々のスイッチに付随した前記プランジャーを、前記モーターによる動作に応答して作動させ、及び前記オフ位置は、前記個々のスイッチに付随した前記プランジャーを、前記モーターによる動作に応答して作動させない、項目２９に記載の装置。
（項目３５）
前記スイッチが、ソレノイドである項目３４に記載の装置。
（項目３６）
前記スイッチが、追加的な作動装置に操作可能に連動したカムにより作動する、項目３４に記載の装置。
（項目３７）
流体取扱い装置であって：
少なくとも１つのピペット・ヘッドを含み、個々のピペット・ヘッドはピペット・ノズルから取外し可能なチップと結合するために構成されたピペット・ノズルを含み、
前記複数のピペット・ヘッド内に少なくとも１つのプランジャーを含み、前記プランジャーは前記ピペット・ヘッド内で移動可能になるために構成され、及び
少なくとも１つの作動装置が実質的に前記取外し可能なチップに実質的に平行でない前記複数のプランジャーを作動させるために構成される装置。
（項目３８）
前記プランジャーが、取外し可能なチップに対して実質的に垂直方向に移動する能力を有する、項目３７に記載の装置。
（項目３９）
前記プランジャーに水平方向に移動する能力があり、前記取外し可能なチップは垂直に配置されている、項目３７に記載の装置。
（項目４０）
流体取扱い装置であって：
少なくとも１つのピペット・ヘッドを含み、個々のピペット・ヘッドは、ピペット・ノズルから取外し可能なチップと結合するために構成されピペット・ノズルを含み、
前記少なくとも１つのピペット・ヘッドは、前記ピペット・ノズルで終結する所定の長さの流体管路を持ち、
及び前記流体管路の長さが前記チップ及び前記ピペット・ノズルが係合している時に、前記チップからの流体動作を妨げることなく調整可能である装置。
（項目４１）
前記ピペット・ノズルが、前記少なくとも１つのピペット・ヘッドと操作可能に接続された基部に対して移動可能であり、それにより前記流体管路を調整する、項目４０に記載の装置。
（項目４２）
前記流体管路が、剛体成分により形成される、項目４０に記載の装置。
（項目４３）
更に前記ピペット・ヘッド内に換気ポートを含み、前記ポートは開放位置及び閉鎖位置を備える、項目４０に記載の装置。
（項目４４）
更に前記換気ポートの開閉部を制御するソレノイド及び／又はバルブを含む、項目４３に記載の装置。
（項目４５）
前記換気ポートが、前記流体の排除に有効な陽圧源及び／又は前記流体の吸引に有効な陰圧源と連結されている、項目４３に記載の装置。
（項目４６）
前記換気ポートが、正又は負の圧力を与えられる可逆ポンプに連結される、項目４３に記載の装置。
（項目４７）
前記取外し可能なチップは２つの開口部を持ち、そのそれぞれが受動バルブに埋め込まれた、項目４３に記載の装置。
（項目４８）
流体取扱い装置であって：
取外し可能なチップ、及び
少なくとも１つのピペット・ヘッドを含み、個々のピペット・ヘッドは、ピペット・ノズルから取外し可能な前記チップと接続するために構成されたピペット・ノズルを含み、
前記装置は、前記チップ内、及び／又は前記チップを通過する画像を捕捉するために構成された画像取り込み機器に操作可能に接続される装置。
（項目４９）
前記画像取り込み機器が、少なくとも１つのピペット・ヘッドに設置される、項目４８に記載の装置。
（項目５０）
前記画像取り込み機器が、カメラであり、随意的に前記チップが導波管である、項目４８に記載の装置。
（項目５１）
前記装置が（１）高さ、幅、長さのそれぞれの寸法が、２０ｃｍを超えないために特徴づけられた、項目２９、３７、４０及び４８のいずれか１つに記載の装置。
（項目５２）
流体性又は非流体性成分を輸送する方法であって：
項目２９、３７、４０及び４８のいずれかに記載の装置を提供することを含み、
１つの場所から別の場所に、取外し可能なチップに結合するために構成された前記装置の少なくとも１つのピペット・ノズルの支援下に、流体性又は非流体性成分を輸送することを含み、
前記個々のピペット・ヘッドは、流体を分注及び／又は吸引、若しくは前記輸送を達成するために非流体性成分と係合する方法。
（項目５３）
サンプル処理装置であって：
サンプル調製ステーション、検定ステーション、及び／又は検出ステーションを含み、
前記サンプル調製ステーション、検定ステーション及び検出ステーションの少なくとも１つの支援下で、指定場所でポイント・オブ・サービスを実行するために構成されたコンピュータにより実行可能なコマンドを有する制御装置を含み、
ピペットノズルから取外し可能なチップに接続されるために構成されるピペットノズルを持つ少なくとも１つのピペットを含み、
前記ピペットは前記調製ステーション、検定ステーション、及び／又は検出ステーション内で、又はそれらの間で、２５０ｕＬ以下の流体を輸送するために構成されるサンプル処理装置。
（項目５４）
前記ピペットが１００ｕＬ以下の流体を前記チップから分注及び／又は吸引するために構成される、項目５３に記載の装置。
（項目５５）
前記チップが、１００ｕＬ以下の容積のサンプルを保持するために構成される項目５３に記載の装置。
（項目５６）
前記コンピュータにより実行可能なコマンドが、小売店、前記被験者の自宅、又はヘルスアセスメント／治療場所より成る群から選ばれる前記ポイント・オブ・サービスでのサービスを実行するために構成される項目５３に記載の装置。
（項目５７）
流体取扱い装置であって：
複数のピペット・ヘッドを含み、個々のピペット・ヘッドは、ピペット・ノズルと取外し可能にチップに結合するために構成されたピペット・ノズルを含み、
前記流体取扱い装置は５％以下の変動係数で、０．５ｕＬ〜５ｍｌの液体を分注及び／又は吸引する能力のある装置。
（項目５８）
１ｕＬ以下の最低増分で、流体の分注及び／又は吸引を行う項目５７に記載の装置。
（項目５９）
更に複数のプランジャーを含み、ピペット・ヘッド内の少なくとも１つのプランジャーはピペット・ヘッド内で移動可能に構成され、個々のプランジャーは相互に独立して移動可能である、項目５７に記載の装置。
（項目６０）
前記複数の第一のピペット・ヘッドが、１００ｕＬまで分注及び／又は吸引するために構成され、及び前記複数の第二のピペット・ヘッドが、５ｕＬまで分注及び／又は吸引するために構成される、項目５７に記載の装置。
（項目６１）
流体取扱い装置であって：
複数のピペット・ヘッドを含み、少なくとも１つのピペット・ヘッドは基部に操作可能に結合され、取外し可能にチップに接続されるために構成されピペット・ノズルを含み、及び
前記複数のピペット・ヘッド内の少なくとも１つのプランジャーを含み、
前記プランジャーは前記ピペット・ヘッド内で移動可能に構成され、
前記ピペット・ノズルが（ａ）後退位置、及び（ｂ）後退位置より更に前記基部から離れる延伸位置を有するために、前記少なくとも１つのピペット・ヘッドのピペット・ノズルが前記基部に対して移動可能である装置。
（項目６２）
前記後退された位置及び延伸された位置に、垂直で少なくとも０．５ｃｍの差異がある項目６１に記載の装置。
（項目６３）
前記ピペット・ノズルが、前記少なくとも１つのプランジャーに対して移動可能である、項目６１に記載の装置。
（項目６４）
前記ピペット・ノズルを、前記後退された位置及び延伸された位置で調整することが、前記ピペット・ノズルで終結する流体管路長を変化させる、項目６１に記載の装置。
（項目６５）
前記流体管路が、剛体の構成要素により密封される項目６１に記載の装置。
（項目６６）
前記プランジャーが、第一のセクション及び第二のセクションを含み、前記ピペット・ノズルが前記後退位置にあるとき、少なくとも前記第一のセクションの部分は、前記第二のセクション内にあり、及び前記ピペット・ノズルが前記延伸位置にあるとき、前記第一のセクションは、前記第二のセクション内にない、項目６１に記載の装置。
（項目６７）
流体取扱い装置であって：
複数のピペット・ヘッドから延伸する支持体を含み、前記支持体は、容積式ヘッドを含み、第一の取外し可能なチップに接続するために構成される容積式ピペット・ノズルを含み、及び
排気式ピペット・ヘッドを含み、前記排気式ピペット・ヘッドは排気式ピペット・チップに接続するために構成される流体取り扱い装置。
（項目６８）
５％以下の変動係数で、１ｕＬから５ｍＬの流体を分注及び／又は吸引するために構成される、項目６７に記載の装置。
（項目６９）
ピペット・ノズルから取外し可能にチップと結合するために構成された少なくとも１つのピペット・ノズルを含み、前記ピペットは高さ、幅、及び長さのそれぞれが２０ｃｍを超えない項目６７に記載の装置。
（項目７０）
前記ピペットは高さ７ｃｍを超えない、項目６９に記載の装置。
（項目７１）
流体性又は非流体性成分を輸送する方法であって：
項目５３、５７、６１、及び６７のいずれか１つに記載される装置を提供することを含み、
１つの場所から別の場所に、少なくとも取外し可能なチップに結合するために構成された前記装置のピペット・ノズルの支援下に、流体性又は非流体性成分を輸送することを含み、
前記輸送を実行するために、前記個々のピペット・ヘッドは流体を分注及び／又は吸引、若しくは、非流体性成分と係合する能力がある方法。
（項目７２）
遠心分離機であって：
底面のある基部を含み、前記基部は前記底面と直角である軸の周囲を回転するために構成され、前記基部は前記基部まで延伸する軸に折り重なる（ｆｏｌｄ  ｏｖｅｒ）ために構成される１つ以上のウイングを含み、前記ウイングは前記軸の片側に基部全体を含み、前記ウイングは空洞を含み、前記空洞は、基部が休止中に第一の配向に配向され、前記基部が回転する時、第二の配向に配向されるために構成される遠心分離機。
（項目７３）
前記空洞が、サンプル容器を受取るために構成される、項目７２に記載の遠心分離機。
（項目７４）
前記個々のウイングが、第一の部分及び第二の部分を有し、前記第一の部分が、前記第二の部分より質量が低い物質で形成される、項目７２に記載の遠心分離機。
（項目７５）
前記第一の部分が、前記ウイングの最上面の少なくとも一部を形成し、前記第二の部分が、前記ウイングの最下面の少なくとも一部を形成する、項目７４に記載の遠心分離機。
（項目７６）
前記１つ以上のウイングが、前記基部に延伸する軸の下に重心を有する、項目７２に記載の遠心分離機。
（項目７７）
前記基部が、円形の断面を有する項目７２に記載の遠心分離機。
（項目７８）
前記第一の配向が垂直であり、前記第二の配向が水平である項目７２に記載の遠心分離機。
（項目７９）
遠心分離機であって：
底面及び上面のある基部を含み、前記基部は前記底面に直角な軸の周囲を回転するために構成され、前記基部は（ａ）ピボット軸の周りを回転するために構成され、そのことにより少なくとも１つのバケットの部分が前記上面を超えて回転することができ、及び／又は
（ｂ）直線方向に移動するために構成される錘に取付けられ、それにより、前記バケットが回転するために特徴付けられた１つ以上のバケットを含み、及び
前記バケットがサンプル容器を受取る空洞を含み、前記空洞は基部が休止中に第一の配向に配向し、前記基部が回転する時、第二の配向に配向するために構成される遠心分離機。
（項目８０）
前記第一の配向が、垂直であり、前記第二の配向が、水平である項目７９に記載の遠心分離機。
（項目８１）
前記１つ以上の容器が、錘挿入口を持つ項目７９に記載の遠心分離機。
（項目８２）
前記錘挿入口が、バケットの１つ以上の部分の質量を超える物質から形成される、項目８１に記載の遠心分離機。
（項目８３）
前記バケットが、ピボット軸の下に重心を持つ項目７９に記載の遠心分離機。
（項目８４）
項目８３の前記遠心分離機であって、前記重心はピボットの底面の直交軸から離れたところにある遠心分離機。
（項目８５）
項目７９の前記遠心分離機であって、前記バケットは前記基部から取外し可能なバケットモジュールに取付けられた遠心分離機。
（項目８６）
前記基部が休止中に第一の位置に錘を保持するために、錘に力が発揮される、項目７９に記載の遠心分離機。
（項目８７）
前記力が、バネにより掛けられる項目７９に記載の遠心分離機。
（項目８８）
前記基部が回転している時に、前記錘が第二の位置にある、項目７９に記載の遠心分離機。
（項目８９）
遠心分離機であって：
モーター組立品を含み、前記モーター組立品は、回転軸の周りの固定子の周りを回転するために構成される回転子を含み、
前記モーターは回転軸方向に高さを持ち、及び
前記基部は１つ以上の流体サンプルを受取るために構成された１つ以上の空洞を含み、
前記基部は前記回転子に固定され、前記基部は固定子の周りを回転し、及び
前記基部は回転軸方向に高さを持ち、前記モーター組立品の高さが前記基部の２倍以上ではない遠心分離機。
（項目９０）
前記基部が、前記固定子の周りを回転し、ブラッシュレスモーターの回転軸に対する直交平面は、前記基部の回転軸に直角である平面と同一平面にある、項目８９に記載の遠心分離機。
（項目９１）
前記１つ以上の空洞が、１つ以上のサンプル容器を受取るために構成される、項目８９に記載の遠心分離機。
（項目９２）
前記流体サンプルが２５０μＬ以下の容積を有する、項目８９に記載の遠心分離機。
（項目９３）
サンプル処理装置であって：
サンプル調製ステーション、検定ステーション、及び／又は検出ステーションを含み、
前記サンプル調製ステーション、検定ステーション及び検出ステーションの少なくとも１つの支援下にある指定場所でポイント・オブ・サービスを実行するためのコンピュータにより遂行可能なコマンドを有する制御装置を含み、
少なくとも１つの指先穿刺のサンプルの遠心分離を実行する遠心分離機を含む、サンプル処理装置。
（項目９４）
前記遠心分離機が、前記サンプル調製ステーション及び／又は前記検定ステーション内に収納される、項目９３に記載の装置。
（項目９５）
前記コンピュータにより実行可能なコマンドが、小売店、前記被験者の自宅、又はヘルスアセスメント／治療場所より成る群から選ばれる前記ポイント・オブ・サービスでのサービスを実行するために構成される、項目９３に記載の装置。
（項目９６）
遠心分離機であって：
前記モーター組立品は回転軸の周りの固定子の周りを回転するために構成される回転子を含み、
前記モーターは回転軸方向に高さを持ち、及び
基部は１つ以上の流体サンプルを受取るために構成された１つ以上の空洞を含み、
前記基部は前記回転子に固定され、前記基部は固定子の周りを回転し、
前記遠心分離機は１０，０００ＲＰＭを超える回転速度を発揮し、及び前記遠心分離機は２００ｃｍ２以下の床面積をもつ遠心分離機。
（項目９７）
前記遠心分離機が、約１０ｕＬ以下のサンプルの遠心分離を実行するために構成される、項目９６に記載の装置。
（項目９８）
サンプル処理装置であって：
サンプル調製ステーション、検定ステーション、及び／又は検出ステーションを含み、
前記サンプル調製ステーション、検定ステーション及び検出ステーションの少なくとも１つの支援下に、指定場所で、ポイント・オブ・サービスのサービスを実行するためのコンピュータにより実行可能なコマンドを有する制御装置を含み、及び項目７２，７９，８９及び９６のいずれか１つに記載の遠心分離機を含むサンプル処理装置。
（項目９９）
容器であって、
サンプルを受入れて、収容するために構成される本体を含み、前記本体は内表面、外表面、開口端、及び先細の閉鎖端を含み、
前記容器はピペットを係合するために構成され、及び前記開口端まで延伸する可撓性の物質を含み、前記可撓性の物質が、スリット／開口部から挿入される対象物のない時に、流体物質が前記可撓性の物質から通り抜けないために構成されるスリット／開口部を持つ容器。
（項目１００）
前記可撓性の物質が、シリコンに基づく物質より形成される項目９９に記載の容器。
（項目１０１）
更に前記本体と前記開口端において接するために構成されるキャップを含み、少なくともキャップの部分が前記本体の内側に延伸する、項目９９に記載の容器。
（項目１０２）
前記キャップが、前記可撓性の物質が延伸する部分が通過する通路を含む、項目１０１に記載の容器。
（項目１０３）
本体は第一の直径の、開口端、及び閉鎖端を有する円筒形の部分、及び前記開口端に接触する漏斗形状の部分を有し、前記開口端に接触する前記漏斗形状の一端が第一の直径を有しており、前記漏斗形状のもう一端が第二の直径をもつ項目９９に記載の容器。
（項目１０４）
前記第二の直径が、前記第一の直径より小さい、項目１０３に記載の容器。
（項目１０５）
前記漏斗形状部分の第二の端が、取外し可能なキャップに係合するために構成されている、項目１０３に記載の容器。
（項目１０６）
容器であって：
約１００ｕＬ未満のサンプルを受取り、収容する本体を含み、
前記本体は内表面、外表面、及び開口端を含み、前記容器は前記開口端まで延伸する可撓性の物質を含み、前記可撓性の物質が、スリット／開口部から挿入される対象物のない時に、流体物質が前記可撓性の物質から通り抜けないために構成されるスリット／開口部を持つ容器。
（項目１０７）
前記可撓性物質が膜である、項目１０６に記載の容器。
（項目１０８）
更に前記本体と前記開口端において接触するために構成されるキャップを含む、項目１０６に記載の容器。
（項目１０９）
前記キャップが、前記可撓性の物質が延伸する通路を含む、項目１０８に記載の容器。
（項目１１０）
前記本体が、開口端及び閉鎖端をもつ第一の直径の円筒形の部分、及び前記開口端に接触する漏斗形状の部分を有し、前記開口端に接触する漏斗形状部分の一端が第一の直径を有し、前記漏斗形状のもう一端が第二の直径をもつ項目１０６に記載の容器。
（項目１１１）
前記第二の直径が前記第一の直径より小さい項目１１０に記載の容器。
（項目１１２）
前記漏斗形状部分の第二の端が取外し可能なキャップに係合するために構成されている、項目１１０に記載の容器。
（項目１１３）
容器であって：
サンプルを入れ、密閉するために構成される本体を含み、前記本体は内表面、外表面、第一の端、第二の端、及び前記第一の端と第二の端の間の通路を含み、
前記容器は（１）対象物が物体に挿入されない時に、流体が物質から通り抜けるのを防止するために構成された融解状態、及び（２）流体及び対象物が物質から通り抜けるのを防止するために構成された固体状態を持つ能力のある流路に延伸する物質を含む容器。
（項目１１４）
前記物質が、ワックスである項目１１３に記載の容器。
（項目１１５）
前記物質の融点が、約５０ｏＣ〜６０ｏＣである項目１１３に記載の容器。
（項目１１６）
前記対象物が、前記物質が溶融状態の間に、前記物質を貫通して挿入される能力を有し、及び前記物質から取除かれる能力を有する、項目１１３に記載の容器。
（項目１１７）
前記物質が溶融状態の間、前記対象物が前記物質に挿入されることを可能にし、及び前記物質から取除くことを可能にするために構成される、項目１１３に記載の容器。
（項目１１８）
前記対象物が前記物質から取除かれる際に前記対象物の少なくとも一部分が前記物質で被覆されている項目１１３に記載の容器。
（項目１１９）
設定であって：
サンプルを受入れ、収容するために構成された容器を含み、前記容器は内表面、外表面、開口端、及び対向する閉鎖端；及び前記開口端から前記容器に延伸するために構成されるチップを含み、
前記チップは、第一の開口端及び第二の開口端を含み、前記第二の開口端は前記容器に挿入され、前記容器又は前記チップは更に前記容器の前記閉鎖端の内面の底部に前記第二の開口端の前記チップが接触するのを防ぐ特徴を持つ、突出する表面特徴を含む設定。
（項目１２０）
前記表面特徴が、前記容器の底の内表面に一体的に形成される項目１１９に記載のシステム。
（項目１２１）
前記表面特徴が、前記容器の底の内表面の複数の隆起である、項目１１９に記載のシステム。
（項目１２２）
前記突出する表面特徴が、前記閉鎖端、又は閉鎖端付近にある項目１１９に記載のシステム。
（項目１２３）
装置であって：
複数の窪みを含む平面の基板を含み；及び
項目９９、１０６、１１３又は１１９に記載される構成を有する複数のチップを含み；
前記チップの少なくとも一部は前記複数の窪に挿入され、前記基板に支持される装置。
（項目１２４）
前記装置がカートリッジ又はマイクロタイタープレートである、項目２５に記載の装置。
（項目１２５）
前記チップが、２５０μＬ以下の容積を有する、項目２５に記載の装置。
（項目１２６）
ポイント・オブ・サービス・システムの支援下に前記被験者を診断又は治療するための方法であって：
（ａ）  前記被験者を認証すること；
（ｂ）  三次元画像化機器の支援下に前記被験者の三次元表現を取得すること；
（ｃ）  プロセッサを含むコンピュータ・システムの支援下に前記三次元表現画像を、前記被験者と遠隔通信しているヘルスケア提供者に表示し、前記コンピュータシステムは通信的に前記三次元画像化機器と連結され、及び
（ｄ）  表示された前記被験者の三次元表現の支援下に前記被験者の診断又は治療を行う
ことを、含む方法。
（項目１２７）
前記被験者の診断又は治療することが、前記被験者に、前記被験者に選ばれたヘルスケア提供者と連絡を取らせることを含む項目１２６に記載の方法。
（項目１２８）
前記被験者の診断又は治療することが、前記被験者に、前記被験者自身のヘルスケア提供者と連絡を取らせることを含む項目１２６に記載の方法。
（項目１２９）
前記診断することが、リアルタイムの診断提供を含む、項目１２６に記載の方法。
（項目１３０）
前記三次元画像化機器が、ポイント・オブ・サービス・システムの一部である項目１２６に記載の方法。
（項目１３１）
更に前記被験者の診断又は治療前に本人の身元確認を含む、項目１２６に記載の方法。
（項目１３２）
前記本人の身元確認が、前記被験者の指紋又は遺伝子シグネチャーの認証を含むの項目１２６に記載の方法。
（項目１３３）
前記診断又は治療することが、タッチスクリーン画面の使用を含む、項目１２６に記載の方法。
（項目１３４）
前記診断又は治療することが、前記被験者からサンプルを収集することを含む、項目１２６に記載の方法。
（項目１３５）
前記被験者からのサンプルが、ヘルスケア提供者の場所で収集される、項目１３４に記載の方法。
（項目１３６）
前記サンプルが前記被験者のいる場所で前記被験者から収集される、項目１３４に記載の方法。
（項目１３７）
前記ポイント・オブ・サービス・システムが、治療を受ける前記被験者の動的三次元空間表現の少なくとも一部を分析するための画像認識モジュールを含む項目１２６に記載の方法。
（項目１３８）
前記認証ステップが、バイオメトリック・スキャン、前記被験者の保険証、前記被験者の氏名、前記被験者の運転免許証、前記被験者の身分証明証、前記ポイント・オブ・ケア・システムのカメラの支援下で撮られた前記被験者の画像、前記被験者の遺伝子シグネチャー、及びジェスチャー認識のうちの１つ以上の支援下で実行される、項目１２６に記載の方法。
（項目１３９）
前記診断が、前記被験者に前記被験者が選んだヘルスケア提供者と連絡を取らせることを含む、項目１２６に記載の方法。
（項目１４０）
更に前記三次元表現と前記被験者特異的情報とを組合せることを含む、項目１２６に記載の方法。
（項目１４１）
前記被験者を診断又は治療するための、ポイント・オブ・サービス・システムであって：
前記被験者の動的三次元空間表現を提供する三次元画像化機器を含み；及び
前記三次元画像化機器と通信し、及び前記被験者の動的三次元空間表現を取り出すために構成される遠隔コンピュータ・システムを含み；前記遠隔コンピュータ・システムが、随意的に前記被験者を認証するために構成されるポイント・オブ・サービス・システム。
（項目１４２）
前記ポイント・オブ・サービス・システムが、治療を受ける前記被験者の動的三次元空間表現前記システムの少なくとも１部を分析するための画像認識モジュールを含む、項目１４１に記載の方法。
疾患又は疾患の侵襲の管理及び治療のために、疾患又は疾患の侵襲を適切な時間に検出することを可能にすることは、患者及び医療提供者により同様に深く探求されている能力であるが、あまりにもしばしば、検出が致命的な予後と同時に起きる、現在のヘルスケアシステムでは、未だに実現されていないことである。